(57)【要約】【課題】テープ印刷装置の装着部への装着を円滑に行うことができるテープカートリッジを提供する。【解決手段】印刷テープ１０２が巻回されたテープロール１０６と、テープロール１０６を軸支するコア軸部１９２と、コア軸部１９２の内周部に設けられ、テープ印刷装置の装着部に装着された際、装着部に立設した台座部および台座部上に立設した第１凸部に対応するコア凹部２６０とを備え、コア凹部２６０は、当該テープカートリッジ１００がテープ印刷装置の装着部に装着された際、台座部を挿入する陥没部２６２と、第１凸部を挿入する識別凹部２６４とを有し、識別凹部２６４の径に対して陥没部２６２の径が大きい段付き円筒状に形成されている。【選択図】図４
2018199335.tif 000002
【特許請求の範囲】
【請求項１】
テープ状の印刷媒体を収容し、テープ印刷装置の装着部に装着されるテープカートリッジであって、
前記印刷媒体が巻回されたテープロールと、
前記テープロールを軸支するコア軸部と、
前記コア軸部の内周部に設けられ、前記テープ印刷装置の前記装着部に装着された際、前記装着部に立設した台座部および前記台座部上に立設した第１凸部に対応するコア凹部と、を備え、
前記コア凹部は、当該テープカートリッジが前記テープ印刷装置の前記装着部に装着された際、前記台座部を挿入する陥没部と、第１凸部を挿入する第１凹部と、を有し、前記第１凹部の径に対して前記陥没部の径が大きい段付き円筒状に形成されていることを特徴とするテープカートリッジ。
【請求項２】
前記第１凸部は、前記台座部の上面に沿うように径方向に突出した第２凸部を有し、
前記コア凹部には、前記第２凸部に対応する第２凹部が設けられていることを特徴とする請求項１に記載のテープカートリッジ。
【請求項３】
前記コア軸部の内周部における前記第２凹部の位置は、前記コア軸部の周方向に９０°ピッチずつずらして設けられていることを特徴とする請求項２に記載のテープカートリッジ。
【請求項４】
前記台座部は、円形に形成され、周方向の一部に切欠き開口部を有し、
前記コア凹部は、前記切欠き開口部に対応する突起部を有することを特徴とする請求項１に記載のテープカートリッジ。
【請求項５】
前記テープ印刷装置は、前記印刷媒体を収容したカートリッジ種別を識別する識別部をさらに備え、
前記識別部は、識別作動される被作動部を有し、
前記コア凹部は、前記識別部の前記被作動部を作動させる作動部を有することを特徴とする請求項１に記載のテープカートリッジ。
【請求項６】
前記作動部は、前記テープカートリッジが前記装着部に装着される装着方向に対して凸となる突起部であることを特徴とする請求項５に記載のテープカートリッジ。
【請求項７】
前記作動部の位置または形状は、前記カートリッジ種別によって異なることを特徴とする請求項５に記載のテープカートリッジ。
【発明の詳細な説明】
【技術分野】
【０００１】
本発明は、テープ印刷装置のカートリッジ装着部に装着され、テープ印刷装置によって印刷に供されるテープカートリッジに関する。
【背景技術】
【０００２】
テープ印刷装置のカートリッジ装着部に装着される、従来のテープカートリッジとして、以下の構成のものが知られている（特許文献１参照）。
このテープカートリッジは、印刷テープをテープコアに巻回したテープ体と、インクリボンをリボン繰出しコアに巻回したリボン体と、使用後のインクリボンを巻き取るリボン巻取りコアと、印刷テープをテープコアから繰り出して送るプラテンローラーと、これらテープ体、リボン体、リボン巻取りコアおよびプラテンローラーを収容するカートリッジケースと、を備えている。
また、カートリッジケースは、着座側の下ケースと、下ケースに対応する上ケースとを有しており、下ケースには、テープ体を回転自在に軸支する中空のテープ軸受部が一体に形成されている。そして、テープ軸受部（テープ体）の中心とプラテンローラーの中心とは、装着方向から見て、カートリッジケースの両把持部位を結ぶ仮想線を跨ぐように配設されている。
テープカートリッジをカートリッジ装着部に装着すると、カートリッジ装着部の位置決め突起にテープ軸受部が、プラテン駆動軸にプラテンローラーが、リボン巻取り駆動軸にリボン巻取りコアが、それぞれ係合（嵌合）する。
【先行技術文献】
【特許文献】
【０００３】
【特許文献１】特開２０１２−２０５４３号公報
【発明の概要】
【発明が解決しようとする課題】
【０００４】
このような、従来のテープカートリッジでは、テープ体がテープカートリッジ構成部品の中で最も重いため、傾いて把持される可能性が高い。すなわち、テープカートリッジを装着する際に、これを手指で把持した場合、水平になるように意識して把持しない限り、テープロールを配置した側が重力の影響で傾く可能性が高い。このため、従来のテープカートリッジでは、プラテン駆動軸に対するプラテンローラーの嵌合に先行して、位置決め突起にテープ軸受部が嵌合し始める可能性が高い。したがって、位置決め突起に対しテープ軸受部が精度良く位置決めされていない限り、プラテン駆動軸にプラテンローラーがつかえ、或いは指先の微調整を強いられる等、テープカートリッジの装着動作が煩雑になる問題があった。
【０００５】
本発明は、テープ印刷装置の装着部への装着を円滑に行うことができるテープカートリッジを提供することを課題としている。
【課題を解決するための手段】
【０００６】
本発明のテープカートリッジは、テープ状の印刷媒体に印刷を行う印刷ヘッドと、印刷媒体に搬送力を付与する駆動軸と、印刷媒体を収容したカートリッジ種別を識別する識別部と、を備えたテープ印刷装置の、装着部に装着されるための、テープカートリッジであって、印刷媒体が巻回されたテープロールと、テープ印刷装置の装着部に装着された場合に、駆動軸に嵌合する第１嵌合部を有するプラテンローラーと、テープロールの軸方向から視てテープロールの中心部に設けられ、テープ印刷装置の装着部に装着された場合に、識別部に嵌合する第２嵌合部と、を備え、第２嵌合部は、テープ印刷装置の装着部に装着された場合に、装着部と対峙位置となる陥没部に配設されていることを特徴とする。
【０００７】
この構成によれば、第２嵌合部は、装着時にテープ印刷装置の装着部と対峙する陥没部に、すなわち窪んだ部分に配設されている。このため、装着に際して、テープ印刷装置の識別部に対し第２嵌合部が嵌合を開始する前に、識別部がいったん陥没部に突き当たりカートリッジの姿勢が矯正される。このため、識別部に第２嵌合部が嵌合を開始する前に、テープ印刷装置の駆動軸に第１嵌合部が嵌合を開始する可能性を高めることができる。すなわち、装着に際して、第２嵌合部側に傾いた姿勢で装着が開始されても、第１嵌合部から嵌合を開始することができる。
これにより、第１嵌合部が駆動軸につかえる等の不具合を抑制することができる。また、第２嵌合部に対し第１嵌合部の嵌合が先行することで、装着開始時に、テープカートリッジの傾きや位置を矯正することができる。さらに、第１嵌合部の嵌合開始と第２嵌合部の嵌合開始との間でタイミングの差を設けることで、装着時の衝撃力を分散させることもできる。したがって、テープカートリッジのテープ印刷装置の装着部への装着を円滑に行うことができる。
また、第２嵌合部は陥没部に配設されているため、第２嵌合部を実質的に短くすることができ、適度な強度を持たせることができる。しかも、第２嵌合部は、落下衝撃等に対し直接の衝撃力を受ける可能性が低い。したがって、第２嵌合部を破損し難い構造とすることができる。さらに、陥没部により、第２嵌合部に突起等があってもこれがテープカートリッジの外表面から突出することがなく、テープカートリッジを重ねて保管する場合に、突起等が邪魔になることがない。
なお、識別部に嵌合する第２嵌合部は、凹形状だけでなく凸形状も組み合わせて用いることで、嵌合の組み合わせを容易に多数化（種別の識別）することができる。
また、カートリッジ種別は、いわゆるテープ種別ではなく、テープカートリッジの仕様上の或いは仕向け上の種別（国別やＯＥＭ別）であることが好ましい。
【０００８】
この場合、テープ印刷装置の識別部は、識別作動される被作動部を有し、第２嵌合部は、識別部の被作動部を作動させる作動部を有することが好ましい。
【０００９】
この場合、作動部は、装着方向に凸となる突起部であることが好ましい。
【００１０】
これらの構成によれば、テープ印刷装置の装着部にテープカートリッジを装着するだけで、テープカートリッジの識別を行うことができると共に、テープカートリッジが適切に装着されたことを検出することができる。また、テープ印刷装置の識別部側の構造を単純化することができる。なお、作動部は、装着方向に凸となる突起部の他、凹となる凹部であってもよい。
【００１１】
また、作動部の位置または形状は、カートリッジ種別によって異なることが好ましい。
【００１２】
この構成によれば、単純な構造で、種別の異なるテープカートリッジの識別を、確実に行うことができる。
【００１３】
また、プラテンローラーの軸方向と、テープロールの軸方向と、カートリッジ着脱方向と、が同一であることが好ましい。
【００１４】
この構成によれば、着脱方向を誤らない限り、テープカートリッジの着脱を、違和感なく円滑に行うことができる。
【００１５】
さらに、第２嵌合部は、第１嵌合部より、テープロールの軸方向から視て重心部に近いことが好ましい。
【００１６】
この構成によれば、例えば第２嵌合部にテープ印刷装置の識別部を作動させる作動部を備えた場合、テープ印刷装置の動作中の振動などによるテープカートリッジの浮き上がりの影響を受けにくく、識別部の誤動作を防止することができる。また、第２嵌合部は、重力方向視において２次元的に重心部に近いのみならず、３次元的にも重心部に近いため、陥没部の無い部分に第２嵌合部を設けものに比べ、動作中の振動を効果的に抑制することができる。
【００１７】
また、第１嵌合部は、駆動軸を嵌合するための誘い形状を有することが好ましい。
【００１８】
この構成によれば、装着に際し、第１嵌合部が駆動軸につかえる等の不具合を抑制することができ、第１嵌合部と駆動軸との嵌合を円滑に行うことができる。
【００１９】
一方、装着に際して、第１嵌合部は、第２嵌合部が識別部と嵌合し始めるより先に、駆動軸と嵌合し始めることが好ましい。
【００２０】
この構成によれば、装着開始時において、テープカートリッジの傾きや位置を矯正することができる。また、装着時の衝撃力を分散させることもできる。したがって、テープ印刷装置の装着部への装着を円滑に行うことができる。
【００２１】
また、装着に際して、第１嵌合部が駆動軸に嵌合してから嵌合完了するまでの移動ストロークは、第２嵌合部が識別部に嵌合してから嵌合完了するまでの移動ストロークより長いことが好ましい。
【００２２】
この構成によれば、第１嵌合部の駆動軸への嵌合により、テープカートリッジの傾きが矯正されるため、第２嵌合部の識別部への嵌合に際し、こじり等が生ずることがない、したがって、テープ印刷装置の装着部への装着を円滑に行うことができる。
【００２３】
また、駆動軸は、スプライン軸部を有し、第１嵌合部は、スプライン軸部に対応するスプラインボス部を有していることが好ましい。
【００２４】
この構成によれば、テープ印刷装置の装着部にテープカートリッジを装着するだけで、駆動部とプラテンローラーと、を動力伝達可能な状態とすることができる。
【００２５】
この場合、スプラインボス部の溝数は、スプライン軸部の歯数よりも多いことが好ましい。
【００２６】
同様に、スプラインボス部の複数の溝の間隔は、スプライン軸部の複数の歯の間隔より小さいことが好ましい。
【００２７】
この構成によれば、スプラインボス部とスプライン軸部との接触面積を小さくすることができ、テープカートリッジの装着負荷を小さくすることができる。したがって、テープ印刷装置の装着部への装着を円滑に行うことができる。
【００２８】
また、プラテンローラーの軸方向と重力方向とが一致するような姿勢をとった場合に、第１嵌合部の下端は、第２嵌合部の下端より下方に位置することが好ましい。
【００２９】
この構成によれば、第１嵌合部は、第２嵌合部が識別部と嵌合し始めるより先に、駆動部と嵌合し始める可能性を高めることができる。これにより、装着開始時において、テープカートリッジの傾きや位置を矯正することができる。また、装着時の衝撃力を分散させることもできる。したがって、テープ印刷装置の装着部への装着を円滑に行うことができる。
【図面の簡単な説明】
【００３０】
【図１】実施形態に係るテープ印刷装置の開蓋状態の外観斜視図である。
【図２】実施形態に係るテープカートリッジの平面図（ａ）、裏面図（ｂ）、正面図（ｃ）、背面図（ｄ）、左側面図（ｅ）、右側面図（ｆ）である。
【図３】実施形態に係るテープカートリッジの平面視斜視図（ａ）、および裏面視斜視図（ｂ）である。
【図４】図２（ａ）におけるＡ−Ａ線断面図（ａ）、およびＢ−Ｂ線断面図（ｂ）である。
【図５】カートリッジ装着部の平面図である。
【図６】開閉蓋を裏面側から見た斜視図である。
【図７】上ケースと上ケースを取り去った状態のテープカートリッジの平面図（ａ）および上ケースの裏面図（ｂ）である。
【図８】プラテン駆動軸およびプラテンローラーの拡大断面図（ａ）およびそのスプライン係合部分の拡大図（ｂ）である。
【図９】カートリッジ装着部の斜視図（ａ）、およびベース凸部廻りの拡大斜視図（ｂ）である。
【図１０】テープカートリッジの裏面右方から視た拡大斜視図（ａ）、裏面左方から視た拡大斜視図（ｂ）、およびコア凹部廻りの拡大平面図である（ｃ）。
【図１１】テープカートリッジのカートリッジ装着部に対する非装着状態の断面図（ａ）、および装着状態の断面図（ｂ）である。
【図１２】テープカートリッジのカートリッジ装着部に対する非装着状態の断面図（ａ）、および装着状態の断面図（ｂ）である（第１変形例）。
【図１３】テープカートリッジのカートリッジ装着部に対する非装着状態の断面図（ａ）、および装着状態の断面図（ｂ）である（第２変形例）。
【発明を実施するための形態】
【００３１】
以下、添付の図面を参照して、本発明の一実施形態に係るテープカートリッジにつき、これが装着されるテープ印刷装置と共に説明する。このテープ印刷装置は、装着したテープカートリッジから印刷テープおよびインクリボンを繰り出しながら印刷を行い、印刷テープの印刷済み部分を切断して、ラベル（テープ片）を作成するものである。
【００３２】
［テープ印刷装置の概要］
図１は、テープ印刷装置およびこれに装着されるテープカートリッジの外観斜視図である。同図に示すように、テープ印刷装置１は、外殻を構成する装置ケース３と、テープカートリッジ１００が着脱自在に装着されるカートリッジ装着部５と、カートリッジ装着部５を開閉する開閉蓋７と、を備えている。装置ケース３の上面には、奥側にカートリッジ装着部５が設けられ、中央にディスプレイ１１が設けられ、手前側にキーボード１３が設けられている。開閉蓋７の近傍には、指掛け用の窪入部１５が設けられており、開閉蓋７は、この窪入部１５を介して跳ね上げるように開放される。そして、装置ケース３の側面（左側面）には、印刷テープ１０２が排出される縦長のテープ排出口１７が設けられている。
【００３３】
また、テープ印刷装置１は、カートリッジ装着部５に立設された印刷ヘッド２１を有する印刷機構部２３と、カートリッジ装着部５の裏側空間に内蔵したテープ送り機構部２５と、テープ排出口１７の近傍に内蔵したテープ切断機構部２７と、を備えている。
【００３４】
ユーザーは、キーボード１３から印刷情報を入力し、ディスプレイ１１で印刷情報を確認した後、キー操作により印刷を実行する。印刷が指令されると、テープ送り機構部２５が駆動して、印刷テープ１０２とインクリボン１１０とを並走させ、これに印刷機構部２３で熱転写による印刷が行われる。この印刷送りにより、印刷テープ１０２はテープ排出口１７から排出されてゆき、印刷が完了すると、テープ切断機構部２７が駆動して、印刷テープ１０２の印刷済み部分が切り離される。
【００３５】
［テープカートリッジの概要］
図２および図７に示すように、テープカートリッジ１００は、印刷テープ１０２をテープコア１０４に巻回したテープロール１０６と、インクリボン１１０を繰出しコア１１２に巻回したリボンロール１１４と、を備えている。また、テープカートリッジ１００は、使用後のインクリボン１１０を巻き取る巻取りコア１１６と、印刷ヘッド２１がインクリボン１１０および印刷テープ１０２を介して当接すると共に印刷テープ１０２およびインクリボン１１０を送るプラテンローラー１２０（プラテン）と、を備えている。さらに、テープカートリッジ１００は、これらテープロール１０６、リボンロール１１４、巻取りコア１１６およびプラテンローラー１２０を収容したカートリッジケース１３０を備えている。このように、本実施形態のテープカートリッジ１００は、外殻をカートリッジケース１３０で覆われた、いわゆるシェル構造を有している。
【００３６】
また、テープカートリッジ１００には、テープ印刷装置１に装着されるときに、印刷ヘッド２１が挿入される挿入開口１３４が、カートリッジケース１３０に形成されている。また、テープカートリッジ１００は、カートリッジケース１３０に形成され、印刷テープ１０２が送り出されるテープ送出口１３８を備えている。なお、詳細は後述するが、テープロール１０６は、カートリッジケース１３０の内側に突設した円筒状のコア軸部１９２に回転自在に支持されている（図４参照）。
【００３７】
上記のテープ送り機構部２５により、プラテンローラー１２０および巻取りコア１１６が駆動されると、印刷テープ１０２はテープコア１０４から繰り出され、インクリボン１１０は繰出しコア１１２から繰り出される。繰り出された印刷テープ１０２およびインクリボン１１０は、プラテンローラー１２０の部分で並走し、印刷ヘッド２１により印刷に供される。印刷が行われた印刷テープ１０２の繰出し端部（印刷済部分）は、テープ送出口１３８からテープ排出口１７に向かって送り出される。一方、インクリボン１１０は、挿入開口１３４の周壁部分を周回し、巻取りコア１１６に巻き取られる。なお、テープカートリッジ１００には、印刷テープ１０２のテープ幅に応じて、厚みの異なる複数種のものが用意されている。
【００３８】
［テープ印刷装置の詳細］
図１および図５に示すように、カートリッジ装着部５は、テープカートリッジ１００の平面形状と相補的な平面形状に形成されると共に、装着可能な複数種のテープカートリッジ１００うち、最大厚のテープカートリッジ１００に対応する深さを有して、窪入形成されている。この場合、カートリッジ装着部５の底板部を構成する装着ベース３１と側板部３３とは、樹脂等で一体に形成（成形）されている。カートリッジ装着部５と上記のテープ排出口１７との間には、スリット状のテープ排出経路３５が形成されており、この部分に、上記のテープ切断機構部２７が内蔵されている。
【００３９】
カートリッジ装着部５の装着ベース３１には、テープカートリッジ１００が装着されたときにそのテープカートリッジ１００のコア軸部１９２（図４参照）の内周部が嵌合する、識別部としてのベース凸部４０が立設されている。詳細は後述するが、ベース凸部４０は、装着ベース３１上に立設した円形の台座部４１と、台座部４１上に立設した識別凸部４２と、を有している。
【００４０】
また、装着ベース３１には、ヘッドカバー４３に覆われた印刷ヘッド２１と、プラテンローラー１２０を回転駆動するプラテン駆動軸４５と、巻取りコア１１６を回転駆動する巻取り駆動軸４７と、が立設されている。また、巻取り駆動軸４７の近傍に位置して装着ベース３１には、印刷テープ１０２の種別（属性情報）を検出するテープ検出部５１と、繰出しコア１１２および巻取りコア１１６の回転止めを解除するコア解除部５３と、が設けられている。
【００４１】
さらに、装着ベース３１には、対角位置に一対の小突起５５が設けられ、加えて装着したテープカートリッジ１００の中間部を掛け止めする一対の掛止め片５７が設けられている。一方、装着ベース３１の裏側空間には、プラテン駆動軸４５および巻取り駆動軸４７を回転させるモーターおよびギヤ列（いずれも、図示省略）を有する上記のテープ送り機構部２５が内蔵されている。テープ送り機構部２５は、ギヤ列で動力分岐し、プラテン駆動軸４５および巻取り駆動軸４７を同期回転させる。
【００４２】
印刷機構部２３は、サーマルヘッドで構成された印刷ヘッド２１と、印刷ヘッド２１を支持すると共に回動させるヘッド支持フレーム６１と、ヘッド支持フレーム６１を介して印刷ヘッド２１を印刷位置と退避位置との間で回動させるヘッドリリース機構（図示省略）と、印刷ヘッド２１（およびヘッド支持フレーム６１）を覆うヘッドカバー４３と、を有している。
【００４３】
ヘッドリリース機構は、上記の開閉蓋７の開閉に連動して作動し、開閉蓋７の閉塞動作に連動して印刷ヘッド２１を印刷位置に移動（回動）させ、開放動作に連動して印刷ヘッド２１を退避位置に移動（回動）させる。印刷位置に移動した印刷ヘッド２１は、テープカートリッジ１００のプラテンローラー１２０に、インクリボン１１０および印刷テープ１０２を介して当接し、退避位置に移動した印刷ヘッド２１は、プラテンローラー１２０から離間する。これにより、テープカートリッジ１００を着脱する際に、印刷テープ１０２やインクリボン１１０の印刷ヘッド２１への干渉が防止される。
【００４４】
印刷ヘッド２１には、複数の発熱素子が設けられ、複数の発熱素子は、プラテンローラー１２０の軸方向と同方向に列設されている。そして、印刷テープ１０２およびインクリボン１１０の送りと、複数の発熱素子の選択的駆動と、により印刷が行われる。ヘッドカバー４３は、平面視略矩形に形成されおり、上記の装着ベース３１（カートリッジ装着部５）と一体に形成（成形）されている。また、ヘッドカバー４３は、装着ベース３１から垂直に突出しており、その内側において印刷ヘッド２１の回動を許容する。
【００４５】
テープ検出部５１は、複数のマイクロスイッチ５１ａで構成されており、後述するテープカートリッジ１００の被検出部１８０に対し選択的に係合し、印刷テープ１０２のテープ幅やテープ色、材質等の種別を検出する。そして、この検出結果に基づいて、印刷ヘッド２１やテープ送り機構部２５の駆動が制御される。
【００４６】
コア解除部５３は、繰出しコア１１２用および巻取りコア１１６用の２つの解除ピン５３ａで構成されている。詳細は後述するが、カートリッジケース１３０には、繰出しコア１１２および巻取りコア１１６にそれぞれ掛止めされる回転止めフック２０６が設けられている（図６参照）。テープカートリッジ１００を装着すると、これら回転止めフック２０６に解除ピン５３ａが係合し、繰出しコア１１２および巻取りコア１１６の回転止めが解除される。
【００４７】
プラテン駆動軸４５は、プラテンローラー１２０を挿通するように設けられた固定支軸４８と、固定支軸４８の基部に回転自在に軸支されたスプライン形状のスプライン駆動軸４９（駆動軸）と、を有している（図５および図８参照）。テープ送り機構部２５の回転動力は、このスプライン駆動軸４９に伝達され、更にスプライン駆動軸４９からプラテンローラー１２０に伝達される（詳細は、後述する）。
【００４８】
同様に、巻取り駆動軸４７は、固定軸４７ａと、固定軸４７ａに回転自在に軸支されたスプライン形状の可動軸４７ｂとを有している。この場合も、テープ送り機構部２５の回転動力は、可動軸４７ｂに伝達され、更に可動軸４７ｂから巻取りコア１１６に伝達される。
【００４９】
テープカートリッジ１００をカートリッジ装着部５に装着すると、ベース凸部４０にコア軸部１９２（後述するコア凹部２６０）が係合し（図１１参照）、プラテン駆動軸４５にプラテンローラー１２０が係合し、更に巻取り駆動軸４７に巻取りコア１１６が係合する。そして、開閉蓋７を閉塞すると、印刷ヘッド２１が回動し、印刷テープ１０２およびインクリボン１１０を挟んでプラテンローラー１２０に当接して、テープ印刷装置１は印刷待機状態となる。
【００５０】
図１、図５および図６に示すように、開閉蓋７は、奥側に設けたヒンジ部７１を介して、装置ケース３に回動自在に、すなわち開閉自在に取り付けられている。開閉蓋７は、開閉蓋本体７３と、開閉蓋本体７３の中央に設けた覗き窓７５と、を有している。また、開閉蓋７は、開閉蓋本体７３の裏面に突設されヒンジ部７１に回動自在に軸支された一対の軸支片７７と、開閉蓋本体７３の裏面に突設され印刷ヘッド２１を回動させる作動レバー７９と、を有している。さらに、開閉蓋７は、開閉蓋本体７３の裏面に突設されテープカートリッジ１００を押し込む２つの押込み突起８１と、開閉蓋本体７３の裏面に突設され、内蔵する蓋閉塞検出スイッチ（図示省略）を作動（ＯＮ）させる押下突起８３と、を有している。
【００５１】
覗き窓７５は、横長に形成され、開閉蓋本体７３とは別体となる透明（可視光に対し透明）な樹脂で構成されている。この覗き窓７５越しに、カートリッジ装着部５に装着されたテープカートリッジ１００が、視認（印刷テープ１０２の種別やテープ残量）できるようになっている。また、一対の軸支片７７、作動レバー７９、２つの押込み突起８１および押下突起８３と、開閉蓋本体７３とは、樹脂で一体に形成（成形）されている。
【００５２】
作動レバー７９は、開閉蓋本体７３の裏面から大きく突出しており、開閉蓋７の閉塞に伴って、カートリッジ装着部５の側方に設けたスリット開口８７に挿入される。スリット開口８７に挿入された作動レバー７９は、上記のヘッドリリース機構を作動させ、印刷ヘッド２１をプラテンローラー１２０に向かって回動させる。同様に、押下突起８３は、開閉蓋７の閉塞に伴って、スリット開口８７に隣接する矩形開口９１に挿入され、蓋閉塞検出スイッチをＯＮさせる。
【００５３】
一方の押込み突起８１は、テープカートリッジ１００のプラテンローラー１２０の近傍位置に対応しており、他方の押込み突起８１は、上記のテープ検出部５１の直上位置に対応している。開閉蓋７を閉塞すると、２つの押込み突起８１は、テープカートリッジ１００がカートリッジ装着部５の装着ベース３１に着座するようにこれを押し込むと共に、テープカートリッジ１００の浮き上がりを防止する。
【００５４】
［テープカートリッジの詳細］
次に、図２ないし図４、および図７を参照して、テープカートリッジ１００について詳細に説明する。なお、テープカートリッジ１００の説明では、図１を例に、テープカートリッジ１００の上正面である装着方向手前の面を「表面」と、逆側の装着方向奥側の面を「裏面」と、左側の側面を「左側面」と、右側の側面を「右側面」と、上側の円弧状の側面を「先端面」と、下側の側面を「基端面」と、称呼するものとする。
【００５５】
テープカートリッジ１００は、上述のように、カートリッジケース１３０と、これに収容したテープロール１０６、リボンロール１１４、巻取りコア１１６およびプラテンローラー１２０と、を備えている（図７参照）。また、テープカートリッジ１００は、カートリッジケース１３０に形成され挿入開口１３４と、プラテンローラー１２０の近傍において左側面に形成したテープ送出口１３８と、テープロール１０６が収容されている部位の表面、左側面および右側面に亘って貼着された識別シール１４１（図１参照）と、を備えている。識別シール１４１には、収容された印刷テープ１０２のテープ幅やテープ色、材質等（属性情報の一部）が、表面および左側面の２箇所に表示されている。
【００５６】
カートリッジケース１３０は、テープカートリッジ１００の外郭を構成するものであり（シェル構造）、右側面の基端側が幾分突出した、平面視「Ｌ」字状の外観を呈している。表裏方向においてカートリッジケース１３０は、カートリッジ装着部５に装着したときに奥側となる下ケース１５０と、手前側となる上ケース１５２と、を有している。実施形態のカートリッジケース１３０は、上ケース１５２が透明な樹脂の成型品で構成され、下ケース１５０が不透明な樹脂の成型品で構成されている。
【００５７】
上ケース１５２は、カートリッジケース１３０の表面を構成する天壁部１５６と、天壁部１５６の周縁部に垂設された上周壁部１５８と、で一体に形成（成形）されている。また、下ケース１５０は、カートリッジケース１３０の裏面を構成する底壁部１６０と、底壁部１６０の周縁部に立設された下周壁１６２と、上記の挿入開口１３４を画成すべく底壁部１６０に立設された開口周壁部１６４と、で一体に形成（成形）されている。
【００５８】
上ケース１５２における上周壁部１５８の下端面には、適宜の間隔で複数の接合ピン１７０が設けられる一方、下ケース１５０の下周壁１６２には、この複数の接合ピン１７０に対応して複数の接合孔１７２が設けられている（図７参照）。下ケース１５０に、テープロール１０６やリボンロール１１４等の構成部品をセットした後、複数の接合孔１７２に複数の接合ピン１７０を圧入するように上ケース１５２を接合することにより、テープカートリッジ１００が組み立てられる。なお、各接合孔１７２は、成形の容易性を考慮し貫通孔となっている。
【００５９】
一方、下ケース１５０の左側面および右側面には、上記の一対の掛止め片５７に掛け止めされる一対の掛止受け部１７４が設けられている（図２（ｅ），（ｆ）および図３（ｂ）参照）。装着したテープカートリッジ１００の一対の掛止受け部１７４に、カートリッジ装着部５側の一対の掛止め片５７が掛け止めされることにより、テープカートリッジ１００の浮き上がりが防止される。また、下ケース１５０の裏面には、上記の一対の小突起５５が幾分余裕をもって嵌合する嵌合小穴１７６が設けられている（図３（ｂ）参照）。装着したテープカートリッジ１００の一対の嵌合小穴１７６に、カートリッジ装着部５側の一対の小突起５５が嵌合することにより、装着ベース３１上におけるテープカートリッジ１００の簡単な位置決めが為される。
【００６０】
さらに、下ケース１５０の裏面には、基端面側の左隅部（表面側から見て右隅部  ）に位置して、上記のテープ検出部５１に対応する被検出部１８０が設けられている（図３（ｂ）参照）。被検出部１８０は、テープ検出部５１の複数のマイクロスイッチ５１ａに対応する部分で構成され、この部分に設けた受け孔１８０ａの有無により、複数のビットパターンを得るようにしている。すなわち、このビットパターンが、上記した印刷テープ１０２の種別に対応している。
【００６１】
図４および図７に示すように、カートリッジケース１３０内の上側空間（先端面側）には、広くテープロール１０６が収容されるテープ収容エリア１９０が構成されている。テープ収容エリア１９０の中央には、下ケース１５０に一体に形成（成形）されたコア軸部１９２が立設されている。コア軸部１９２は、段付き円筒状に形成されており、その外周面１９２ｂにはテープロール１０６（テープコア１０４）が回転自在に軸支されている（図４参照）。
【００６２】
詳細は後述するが、段付き円筒状に形成されコア軸部１９２には、その内周側に上記のベース凸部４０が嵌合するコア凹部２６０が形成されている。コア凹部２６０は、ベース凸部４０の台座部４１が嵌合する陥没部２６２と、識別凸部４２が嵌合する、第２嵌合部としての識別凹部２６４と、を有している。また、コア凹部２６０の上部には、コイルスプリングで構成されたテープロール１０６の逆転止め用ばね１９３が組み込まれている。
【００６３】
また、図７に示すように、プラテンローラー１２０の近傍に位置してテープ収容エリア１９０には、繰り出された印刷テープ１０２をプラテンローラー１２０に導くテープガイド１９４が、下ケース１５０に一体に立設されている。すなわち、カートリッジケース１３０の内部には、テープロール１０６を起点とし、テープガイド１９４およびプラテンローラー１２０を経てテープ送出口１３８に至るテープ送り経路１９６が構成されている。テープロール１０６から繰り出された印刷テープ１０２は、テープガイド１９４を介してプラテンローラー１２０に導かれ、ここで印刷に供され、更にプラテンローラー１２０からテープ送出口１３８に導かれる。
【００６４】
テープロール１０６は、印刷テープ１０２およびテープコア１０４を有すると共に、ロール状の印刷テープ１０２の両端面に貼着された２枚の円形フィルム１９８を有している。この２枚の円形フィルム１９８は、テープコア１０４に巻回した印刷テープ１０２のバラケを防止している。
【００６５】
図４および図７に示すように、テープコア１０４は、印刷テープ１０２が巻装されたリール部１０４ａと、リール部１０４ａの内側に複数の内向きリブ１０４ｂを介して設けた転接部１０４ｃと、を有し、この転接部１０４ｃにより、上記のコア軸部１９２に回転自在に軸支されている。また、転接部１０４ｃの端面には、放射状の複数の端面溝１０４ｄが形成され、この端面溝１０４ｄに、上記の逆転止め用ばね１９３が係脱するようになっている。すなわち、コア軸部１９２の上部には、軸方向に延びる縦スリット１９２ａが形成され、この縦スリット１９２ａから、逆転止め用ばね１９３の線材端部が突出し、転接部１０４ｃの端面溝１０４ｄに係合している。
【００６６】
テープカートリッジ１００を持ち運びするときには、この逆転止め用ばね１９３により、テープロール１０６（印刷テープ１０２）の逆転が防止される。一方、テープカートリッジ１００をカートリッジ装着部５に装着すると、上記のベース凸部４０により逆転止め用ばね１９３が圧縮され、その線材端部が転接部１０４ｃの端面溝１０４ｄから離脱し逆転止めが解除される（いずれも図１１参照）。これにより、印刷テープ１０２の送りが可能になる。
【００６７】
図７に示すように、カートリッジケース１３０内の基部右側には、挿入開口１３４に隣接してリボン収容エリア２００が構成されている。リボン収容エリア２００の右寄りには、リボンロール１１４（繰出しコア１１２）を回転自在に支持する繰出し側軸受部２０２が、また左寄りには、巻取りコア１１６を回転自在に支持する巻取り側軸受部２０４が、それぞれカートリッジケース１３０に一体に形成されている。すなわち、上ケース１５２および下ケース１５０に、それぞれ繰出し側軸受部２０２および巻取り側軸受部２０４が形成されている。
【００６８】
下ケース１５０に形成された繰出し側軸受部２０２および巻取り側軸受部２０４の切欠き部分には、先端部をこれら繰出し側軸受部２０２および巻取り側軸受部２０４に臨ませた回転止めフック２０６が、それぞれ一体に形成されている。そして、一方の回転止めフック２０６は繰出しコア１１２に、他方の回転止めフック２０６は巻取りコア１１６に、それぞれ回転止め状態に係合している。
【００６９】
繰出し側軸受部２０２の近傍に位置してリボン収容エリア２００には、繰り出されたインクリボン１１０をプラテンローラー１２０に導く第１リボンガイド２１０が、下ケース１５０に一体に立設されている。また、上記の開口周壁部１６４の外周側には、インクリボン１１０の周回をガイドする複数の第２リボンガイド２１２が一体に形成されている。
【００７０】
すなわち、カートリッジケース１３０の内部には、リボンロール１１４を起点とし、第１リボンガイド２１０、プラテンローラー１２０および複数の第２リボンガイド２１２を経て巻取りコア１１６に至るリボン送り経路２１４が構成されている。リボンロール１１４から繰り出されたインクリボン１１０は、第１リボンガイド２１０を介してプラテンローラー１２０に導かれ、ここで印刷に供され、更にプラテンローラー１２０から開口周壁部１６４（複数の第２リボンガイド２１２）を周回して巻取りコア１１６に巻き取られる。
【００７１】
リボンロール１１４は、インクリボン１１０および繰出しコア１１２を有すると共に、繰出しコア１１２に制動負荷を付与する円環状の板ばね２２０を有している（図７（ｂ）参照）。板ばね２２０は、周方向において波状に形成されており、軸方向において上ケース１５２の天壁部１５６と繰出しコア１１２との間に介設されている。すなわち、繰出しコア１１２には、この板ばね２２０の弾発力により回転制動負荷が付与される。これにより、巻取りコア１１６により繰り出されてゆくインクリボン１１０には、バックテンションが付与されその弛みが防止される。
【００７２】
繰出しコア１１２は円筒状に形成され、その下ケース１５０側の端部には、周方向に複数の切欠き２２２が形成されている（図３（ｂ）参照）。そして、複数の切欠き２２２には、上記の回転止めフック２０６が係脱するようになっている。なお、繰出しコア１１２を支持する下ケース１５０側の繰出し側軸受部２０２は円形の開口で構成されているが、上ケース１５２側の繰出し側軸受部２０２は、円筒状の突出部分で構成されている。そして、この突出部分に上記の板ばね２２０が装着されている（いずれも、図７（ｂ）参照）。
【００７３】
同様に、巻取りコア１１６は円筒状に形成され、その下ケース１５０側の端部には、周方向に複数の切欠き２２４が形成されている（図３（ｂ）参照）。そして、複数の切欠き２２４には、上記の回転止めフック２０６が係脱する。また、巻取りコア１１６の内周面にはスプライン様のスリット溝２２６が形成され、上記の巻取り駆動軸４７にスプライン係合する。これにより、巻取り駆動軸４７の回転力が巻取りコア１１６に伝達され、インクリボン１１０が巻き取られる。
【００７４】
カートリッジケース１３０内の基部左側には、挿入開口１３４に隣接してプラテン収容エリア２３０が構成されている。プラテン収容エリア２３０の中央には、下ケース１５０に形成した楕円状開口の下軸受部２３４と（図３（ｂ）参照）、上ケース１５２に形成した楕円状開口の上軸受部２３２と（図７（ｂ）参照）が設けられている。そして、上軸受部２３２および下軸受部２３４には、プラテンローラー１２０が回転自在且つ僅かに横移動可能に支持されている。すなわち、楕円状の上軸受部２３２および下軸受部２３４に支持されたプラテンローラー１２０は、プラテン駆動軸４５に係合するホーム位置と、印刷テープ１０２を挟み込んでテープガイド１９４に接する挟持位置との間で、横移動（微小移動）可能に構成されている。
【００７５】
ところで、このテープカートリッジ１００は、印刷テープ１０２の繰出し端部を、テープ送出口１３８から外部に僅かに突出させた状態で持ち運びされる（図１参照）。その際、誤って印刷テープ１０２の繰出し端部に押込み力や引込み力が作用すると、これに引きずられたプラテンローラー１２０が上記の挟持位置に移動する。これにより、印刷テープ１０２の繰出し端部が、テープ送出口１３８からカートリッジケース１３０内に引き込まれることが防止される。
【００７６】
プラテンローラー１２０は、円筒状のローラー基体２４０と、ローラー基体２４０の外周面に装着したゴムローラー２４２と、を有している（図８参照）。ゴムローラー２４２は、軸方向において印刷ヘッド２１に対応する長さを有しており、印刷位置に移動した印刷ヘッド２１は、印刷テープ１０２およびインクリボン１１０を挟み込んでこのゴムローラー２４２に接触する。
【００７７】
また、ローラー基体２４０の基部には、第１嵌合部としてのスプラインボス部２４４が形成され、スプラインボス部２４４には、上記のプラテン駆動軸４５のスプライン駆動軸４９（駆動軸）がスプライン係合する（図８参照）。これにより、プラテン駆動軸４５の回転力がプラテンローラー１２０に伝達され、印刷テープ１０２（およびインクリボン１１０）が印刷送りされる。
【００７８】
［コア凹部およびプラテンローラーの構造］
次に、図８ないし図１１を参照して、テープカートリッジ１００のコア凹部２６０およびプラテンローラー１２０の構造について、カートリッジ装着部５のベース凸部４０およびプラテン駆動軸４５と共に詳細に説明する。上述のように、カートリッジ装着部５には、相互に離間してプラテン駆動軸４５およびベース凸部４０が設けられ、これに対応して、テープカートリッジ１００にはプラテンローラー１２０およびコア凹部２６０が設けられている。
【００７９】
図８（ａ）に示すように、プラテン駆動軸４５は、装着ベース３１の下方に位置する装置フレーム２７０に立設された固定支軸４８と、固定支軸４８の下部に回転自在に支持されたスプライン駆動軸４９とを有している。固定支軸４８は、装置フレーム２７０に片持ちで固定され、装着ベース３１を貫通してテープカートリッジ１００の着脱方向に延在している。スプライン駆動軸４９は、基部の歯車部２７２と、歯車部２７２から延びるスプライン軸部２７４とを有し、歯車部２７２に、上記のテープ送り機構部２５のギヤ列が連結されている。
【００８０】
一方、プラテンローラー１２０は、上述のようにローラー基体２４０とゴムローラー２４２とを有し、ローラー基体２４０の基部にスプラインボス部２４４が形成されている。すなわち、ローラー基体２４０には、上記のスプライン軸部２７４にスプライン係合するスプラインボス部２４４が形成されている。
【００８１】
テープカートリッジ１００をカートリッジ装着部５に装着すると、プラテンローラー１２０のローラー基体２４０にプラテン駆動軸４５の固定支軸４８が挿通する。また、プラテンローラー１２０のスプラインボス部２４４にプラテン駆動軸４５のスプライン軸部２７４が係合する。
【００８２】
図８（ｂ）に示すように、スプライン軸部２７４には、周方向に複数のスプライン歯２７４ａが形成され、スプラインボス部２４４には、複数のスプライン歯２７４ａに対応する複数のスプライン溝２４４ａが形成されている。この場合、一般的なスプラインの構造と異なり、スプライン溝２４４ａの溝数は、スプライン歯２７４ａの歯数よりも多いものとなっている。また、複数のスプライン溝２４４ａの周方向の間隔は、複数のスプライン歯２７４ａの周方向の間隔より小さく形成されている。具体的には、スプライン溝２４４ａの溝数が６つで、スプライン歯２７４ａの歯数が３つとなっており、スプライン歯２７４ａは、スプライン溝２４４ａに１つおきに噛み合うようになっている。また、スプラインボス部２４４の内周面基部は、面取りされており、いわゆる誘い形状となっている（図８（ａ）参照）。
【００８３】
このように、スプライン係合における溝数と歯数の相違、およびスプラインボス部２４４の誘い形状により、スプライン軸部２７４のスプラインボス部２４４への嵌合（係合）が円滑に行われる。すなわち、テープカートリッジ１００のカートリッジ装着部５への装着が円滑に行われるようになっている。
【００８４】
図９および図１１に示すように、ベース凸部４０は、装着ベース３１上に立設した台座部４１と、台座部４１上に立設した識別凸部４２と、で一体に形成されている。台座部４１は、円形に形成され、その周方向の一部に切欠き開口部２８０を有している。また、識別凸部４２は、円柱状（中空）の凸部本体２８２と、凸部本体２８２の外周面に十字状を為すように設けた４つの突条部２８４と、凸部本体２８２から台座部４１の上面に添うように径方向に突出した舌片２８６と、を有している。
【００８５】
一方、図１０および図１１に示すように、コア凹部２６０は、ベース凸部４０の台座部４１が嵌合する陥没部２６２と、識別凸部４２が嵌合する識別凹部２６４と、を有している。陥没部２６２と識別凹部２６４とは、一体の空間を構成している。そして、識別凹部２６４には、この空間に向かって軸方向に突出するように、切欠き開口部２８０に対応する嵌合凸部２９０（突起部）が設けられている。また、識別凹部２６４には、この空間から没入するように、識別凸部４２の舌片２８６に対応する嵌合凹部２９２が設けられている。
【００８６】
テープカートリッジ１００をカートリッジ装着部５に装着すると、ベース凸部４０の台座部４１がコア凹部２６０の陥没部２６２に嵌合すると同時に、ベース凸部４０の識別凸部４２が、コア凹部２６０の識別凹部２６４に嵌合する（図１１参照）。また、この嵌合に合わせて、嵌合凸部２９０が切欠き開口部２８０に嵌合し、嵌合凹部２９２に舌片２８６が嵌合する。
【００８７】
ところで、本実施形態のテープカートリッジ１００では、構成部品の中でテープロール１０６が極端に重く、平面視においてテープコア１０４の近傍に重心が存在する。このため、装着に際しテープカートリッジ１００を把持すると、特に意識しない限り、テープカートリッジ１００が先下がり斜めに傾く傾向が強い。かかる場合に、識別凹部２６４に識別凸部４２が嵌合する前に、識別凸部４２が陥没部２６２に突き当たり易く、これにより傾いたテープカートリッジ１００の姿勢が矯正される。すなわち、装着に際し、テープカートリッジ１００が水平姿勢に矯正されるため、装着を円滑に行うことができる（詳細は後述する）。
【００８８】
また、本実施形態では、コア凹部２６０とベース凸部４０との協働により、カートリッジ種別の識別を行えるようにしている。この場合のカートリッジ種別は、印刷テープ１０２の種別ではなく（テープ種別は、テープ検出部５１による）、例えば用途（工業用や家庭用）、仕向け地域（米国向けやヨーロッパ向け）等の識別を行う。
【００８９】
このため、特に図示しないが、コア凹部２６０における嵌合凹部２９２の位置を、周方向に例えば９０°ピッチでずらした（位相をずらした）、仕向け地域別（用途別）の複数種のテープカートリッジ１００を用意するようにしている。また、これに対応して、ベース凸部４０における舌片２８６の位相をずらした、仕向け地域別（用途別）の複数種のテープ印刷装置１を用意するようにしている（第１識別パターン）。
【００９０】
また、カートリッジ種別の多数化を図るべく、コア凹部２６０における嵌合凸部２９０の位相をずらしたパターン（ベース凸部４０における切欠き開口部２８０の位相をずらしたパターン）も加えるようにしている（第２識別パターン）。なお、位相ずらすこと（第１識別パターンおよび／または第２識別パターン）に代えて、或いは位相ずらすことに加えて、嵌合凹部２９２（舌片２８６）や嵌合凸部２９０（切欠き開口部２８０）の形状を変えるようにしてもよい。
【００９１】
以上のように、本実施形態のテープカートリッジ１００によれば、識別凹部２６４が陥没部２６２に配設されているため、装着に際して、ベース凸部４０の識別凸部４２に対し識別凹部２６４が嵌合を開始する前に、識別凸部４２がいったん陥没部２６２に突き当たりテープカートリッジ１００の姿勢が矯正される。このため、識別凸部４２に識別凹部２６４が嵌合を開始する前に、スプライン駆動軸４９（スプライン軸部２７４）にスプラインボス部２４４が嵌合を開始する可能性を高めることができる。すなわち、テープカートリッジ１００の装着に際して、傾いた姿勢で装着が開始されても、スプラインボス部２４４から嵌合を開始することができる。
【００９２】
これにより、スプラインボス部２４４がスプライン駆動軸４９につかえる等の不具合を抑制することができる。また、識別凹部２６４に対しスプラインボス部２４４の嵌合が先行することで、装着開始時に、テープカートリッジ１００の傾きや位置を矯正することができる。さらに、スプラインボス部２４４の嵌合開始と識別凹部２６４の嵌合開始との間でタイミングの差を設けることで、装着時の衝撃力を分散させることもできる。したがって、テープカートリッジ１００のテープ印刷装置１の装着部への装着を円滑に行うことができる。
【００９３】
また、識別凹部２６４が陥没部２６２に設けられているため、識別凹部２６４（コア軸部１９２）を実質的に短くすることができ、適度な強度を持たせることができる。しかも、識別凹部２６４は、落下衝撃等に対し直接の衝撃力を受ける可能性が低い。したがって、識別凹部２６４を破損し難い構造とすることができる。さらに、陥没部２６２により、識別凹部２６４に嵌合凸部２９０等の突起があってもこれがテープカートリッジ１００の外表面から突出することがなく、テープカートリッジ１００を重ねて保管する場合に、嵌合凸部２９０等が邪魔になることがない。
【００９４】
［第１変形例］
次に、図１２を参照して、上記実施形態の第１変形例について説明する。同図に示すように、この第１変形例では、ベース凸部４０の内部にカートリッジ検出部３００（被作動部）を組み込むようにしている。このカートリッジ検出部３００は、上記コア凹部２６０の嵌合凸部２９０を作動部として作動され、上記のカートリッジ種別における適正なテープカートリッジ１００の装着を検出する。したがって、第１変形例における嵌合凸部２９０は、テープカートリッジ１００側の被検出部としても機能する。
【００９５】
カートリッジ検出部３００は、ベース凸部４０における台座部４１の内部に組み込まれており、作動部である嵌合凸部２９０より下動する被作動部材３０２と、被作動部材３０２に下側から接触するスイッチ本体３０４と、を有している。スイッチ本体３０４は、固定的に設けられたマイクロスイッチ等で構成されている。また、被作動部材３０２は、キャップ状に形成され、台座部４１の内周面に上下動自在に設けられている。
【００９６】
テープカートリッジ１００をカートリッジ装着部５に装着すると、コア凹部２６０の嵌合凸部２９０が、ベース凸部４０の切欠き開口部２８０を介して被作動部材３０２に当接し、これを下動させる。この被作動部材３０２の下動によりスイッチ本体３０４が作動（ＯＮ）し、テープカートリッジ１００の装着が検出される。
【００９７】
このように、第１変形例によれば、ベース凸部４０内にカートリッジ検出部３００を設けることにより、仕向け地域別（用途別）のテープカートリッジ１００が適正に装着されたことを、検出することができる。また、カートリッジ検出部３００は、被作動部材３０２を介してスイッチ本体３０４を作動させる構造であり、且つ被作動部材３０２がキャップ状に形成されているため、カートリッジ識別のために切欠き開口部２８０の位置や形状を変更しても、カートリッジ検出部３００側に変更を加える必要がない。
【００９８】
なお、テープカートリッジ１００に、寒冷地用等の仕向け地域（用途）が存在する場合には、カートリッジ検出部３００の検出結果に基づいて、テープ印刷装置１を寒冷地モードに切り替える等の動作を行ってもよい。
【００９９】
［第２変形例］
次に、図１３を参照して、上記実施形態の第２変形例について説明する。同図に示すように、この第２変形例では、ベース凸部４０の内部に組み込まれたカートリッジ検出部３００において、被作動部材３０２Ａが舌片２８６を兼ねる構造を有している。したがって、第２変形例では、舌片２８６に対応するコア凹部２６０の嵌合凹部２９２が、テープカートリッジ１００側の被検出部として機能する。
【０１００】
このカートリッジ検出部３００では、被作動部材３０２Ａが、軸状部３１０と、舌片２８６を兼ねる舌状部３１２とで一体に形成されている。軸状部３１０は、ベース凸部４０における凸部本体２８２の内周面に上下動自在に設けられている。また、舌状部３１２は、凸部本体２８２の側面から台座部４１の上面に亘って設けたＬ字スリット部３１６に上下動自在に設けられている。この場合、舌状部３１２は、作動ストロークを考慮し、初期位置が上記の舌片２８６より幾分高い位置に設定されている。
【０１０１】
テープカートリッジ１００をカートリッジ装着部５に装着すると、コア凹部２６０の嵌合凹部２９２（の天面）が、被作動部材３０２Ａの舌状部３１２に当接し、被作動部材３０２Ａを下動させる。この被作動部材３０２Ａの下動によりスイッチ本体３０４が作動（ＯＮ）し、テープカートリッジ１００の装着が検出される。
【０１０２】
このように、第２変形例によれば、ベース凸部４０内にカートリッジ検出部３００を設けることにより、仕向け地域別（用途別）のテープカートリッジ１００が適正に装着されたことを、検出することができる。また、被作動部材３０２Ａが舌片２８６を兼ねる構造であるため、部品点数を削減することができる。
【符号の説明】
【０１０３】
１００…テープカートリッジ、１０２…印刷テープ、１０４…テープコア、１０４ａ…リール部、１０４ｂ…内向きリブ、１０４ｃ…転接部、１０４ｄ…端面溝、１０６…テープロール、１３０…カートリッジケース、１５０…下ケース、１５２…上ケース、１９２…コア軸部、１９２ａ…縦スリット、１９３…逆転止め用ばね、２６０…コア凹部、２６２…陥没部、２６４…識別凹部、２９０…嵌合凸部、２９２…嵌合凹部
【図１】
2018199335.tif 000003
【図２】
2018199335.tif 000004
【図３】
2018199335.tif 000005
【図４】
2018199335.tif 000006
【図５】
2018199335.tif 000007
【図６】
2018199335.tif 000008
【図７】
2018199335.tif 000009
【図８】
2018199335.tif 000010
【図９】
2018199335.tif 000011
【図１０】
2018199335.tif 000012
【図１１】
2018199335.tif 000013
【図１２】
2018199335.tif 000014
【図１３】
2018199335.tif 000015